(57)【要約】【課題】表示品位を改善するとともに広い視野角と良好な応答速度を有し、さらに、屋内外での視認性に優れた液晶表示素子を安価に提供することができる。【解決手段】アレイ基板１０１および対向基板１０２と、アレイ基板１０１および対向基板１０２間に挟持される液晶層１９０とを備え、画素電極１５１は、アレイ基板１０１側から入射する光を液晶層１９０へ透過するとともに、液晶層１９０の透過表示領域Ａを規定する透過電極部１５１Ａ、透過電極部に隣接した起伏を有するとともに、対向基板１０２側から液晶層１９０に入射する光を反射し、液晶層１９０の反射表示領域Ｂを規定する反射電極部１５１Ｂ、並びに、透過電極部１５１Ａおよび反射電極部１５１Ｂの境界に配置されるとともに、透過表示領域Ａにおける液晶分子１９０Ａの配向状態と反射表示領域Ｂにおける液晶分子１９０Ａの配向状態とをそれぞれ規制する欠落部１５１Ｅを有する液晶表示装置。【選択図】      図３
2007256843.tif 000002
【特許請求の範囲】
【請求項１】
画素電極を有する第１電極基板と、
前記画素電極に対向する対向電極を有する第２電極基板と、
前記第１および第２電極基板間に挟持される液晶層とを備え、
前記画素電極は、前記第１電極基板側から入射する光を前記液晶層へ透過するとともに、前記液晶層の透過表示領域を規定する透過電極部、
前記透過電極部に隣接した起伏を有するとともに、前記第２電極基板側から前記液晶層に入射する光を反射し、前記液晶層の反射表示領域を規定する反射電極部、並びに、
前記透過電極部および前記反射電極部の境界に配置されるとともに、前記透過表示領域における液晶分子の配向状態と前記反射表示領域における液晶分子の配向状態とをそれぞれ規制するように前記画素電極及び前記対向電極間の駆動電圧に対応して前記液晶層に生じる電界を傾ける欠落部を有する液晶表示装置。
【請求項２】
前記第２電極基板は、液晶分子のチルト方向を互いに異ならせた複数のドメインを前記透過表示領域に設けるように前記液晶層を区分するチルト制御部をさらに有する請求項１に記載の液晶表示装置。
【請求項３】
前記第１電極基板は、前記欠落部の一部を横断して配置されるとともに、前記透過電極部および前記反射電極部に接続される配線部をさらに有する請求項１記載の液晶表示装置。
【請求項４】
前記配線部は、前記透過電極部を構成する光透過性の電極材料および前記反射電極部を構成する光反射性の電極材料の少なくとも一方を含むように構成される請求項３記載の液晶表示装置。
【請求項５】
前記第２電極基板は、前記透過表示領域における前記液晶層の厚さに対して前記反射表示領域における前記液晶層の厚さを異ならせるための絶縁層をさらに有する請求項１記載の液晶表示装置。
【発明の詳細な説明】
【技術分野】
【０００１】
本発明は液晶表示装置に関し、特に、マルチドメイン型ＶＡＮモードである半透過型液晶方式の液晶表示装置に関する。
【背景技術】
【０００２】
液晶表示装置は、薄型、軽量、低消費電力である等の様々な特徴を有しており、ＯＡ機器、情報端末、時計、およびテレビ等の様々な用途に応用されている。特に、薄膜トランジスタ（以下、ＴＦＴという）を有する液晶表示装置は、その高い応答性から、テレビやコンピュータなどのように多量の情報を表示するモニタとして用いられている。
【０００３】
近年、情報量の増加に伴い、表示装置に表示される画像の高精細化や表示速度の高速化に対する要求が高まっている。これら要求のうち画像の高精細化は、例えば、上述したＴＦＴを含むアレイ構造を微細化することによって実現されている。
【０００４】
一方、表示速度の高速化に関しては、従来の表示モードの代わりに、ネマチック液晶を用いたＯＣＢモード、ＶＡＮ（Vertical  Aligned  Nematic）モード、ＨＡＮモード、およびπ配列モードや、スメクチック液晶を用いた界面安定型強誘電性液晶モードおよび反強誘電性液晶モードを採用することが検討されている。
【０００５】
これら表示モードのうち、ＶＡＮモードでは、ＴＮ（Twisted  Nematic）モードよりも速い応答速度を得ることができ、しかも、垂直配向のため静電気破壊などの不良を発生させるラビング処理が不要である。なかでも、マルチドメイン型ＶＡＮモード（以下、ＭＶＡモードという）は、視野角の補償設計が比較的容易なことから特に注目を集めている。
【０００６】
一方で、近年では携帯端末の小型化、汎用化に伴い屋外での液晶表示装置を使用する場合多く、屋内外両方の使用環境に対応した表示品質が要求されている。そのため、最近では、従来の透過表示方式に加え、部分的に反射表示を行うことが可能な半透過型液晶方式の開発が盛んに進められている。
【０００７】
従来、ＭＶＡモードの半透過型液晶方式の液晶表示装置において、液晶分子の倒れる方向を制御して、残像等の表示不良発生が抑制するとともに、斜め方向から表示面を見たときにざらざらとしたしみ状のむらが視認される等の不具合を抑制する液晶表示装置が提案されている（特許文献１参照）。
【特許文献１】特開２００４−２７９５６５号公報
【発明の開示】
【発明が解決しようとする課題】
【０００８】
しかし、従来のＭＶＡモ−ドを適用した半透過型液晶方式の液晶表示パネルでは、透過表示領域において液晶分子を配向制御する欠落部または凸状部が、反射表示領域にも延びている。このため、透過表示領域と反射表示領域との境界付近では、透過表示領域でも反射表示領域の配向状態の影響を受ける場合があった。その結果、反射表示領域との境界近傍において透過表示領域の液晶分子の配向が乱れやすく、ざらつき等の表示不良が発生したり、表示画面に力が加えられた後に表示不良が残ったりする場合があった。
【０００９】
本発明は上記問題点を鑑みてなされたものであり、マルチドメイン型ＶＡＮモードを半透過型液晶方式の液晶表示装置に適用した場合に、表示品位を改善するとともに広い視野角と良好な応答速度を有し、さらに、屋内外での視認性に優れた液晶表示素子を安価に提供することを目的とする。
【課題を解決するための手段】
【００１０】
本発明の態様による液晶表示装置は、画素電極を有する第１電極基板と、前記画素電極に対向する対向電極を有する第２電極基板と、前記第１および第２電極基板間に挟持される液晶層とを備え、前記画素電極は、前記第１電極基板側から入射する光を前記液晶層へ透過するとともに、前記液晶層の透過表示領域を規定する透過電極部、前記透過電極部に隣接した起伏を有するとともに、前記第２電極基板側から前記液晶層に入射する光を反射し、前記液晶層の反射表示領域を規定する反射電極部、並びに、前記透過電極部および前記反射電極部の境界に配置されるとともに、前記透過表示領域における液晶分子の配向状態と前記反射表示領域における液晶分子の配向状態とをそれぞれ規制するように前記画素電極及び前記対向電極間の駆動電圧に対応して前記液晶層に生じる電界を傾ける欠落部を有する。
【発明の効果】
【００１１】
本発明によれば、マルチドメイン型ＶＡＮモードを半透過型液晶方式の液晶表示装置に適用した場合に、表示品位を改善するとともに広い視野角と良好な応答速度を有し、さらに、屋内外での視認性に優れた液晶表示装置を安価に提供することができる。
【発明を実施するための最良の形態】
【００１２】
以下、本発明の一実施形態に係る液晶表示装置について図面を参照して説明する。なお、以下に記載する実施形態は本発明の理解を容易にする目的で掲載されるものであり、本発明を限定するものではない。また本発明はその要旨の範囲内で種々変更して用いることができることは言うまでもない。
【００１３】
本実施形態に係る液晶表示装置は、図１および図２に示すような液晶表示パネル１００を有している。液晶表示パネル１００、ＭＶＡモードで表示を行う半透過型液晶方式の液晶表示パネルである。すなわち、液晶表示パネル１００は、第１電極基板としてのアレイ基板１０１および第２電極基板としての対向基板１０２と、アレイ基板１０１および対向基板１０２に挟持される液晶層１９０とを備えている。アレイ基板１０１と対向基板１０２とは互いに対向している。
【００１４】
上記の液晶表示パネル１００は、マトリクス状に配置された表示画素ＰＸから成る表示部１０３を有している。表示部１０３は、アレイ基板１０１と対向基板１０２とを貼り合わせる外縁シール部材１０６によって囲まれた領域内に形成されている。外縁シール部材１０６の外側の領域には、表示部１０３の外周に沿って配置された周辺領域１０４が形成されている。また、液晶層１９０は、負の誘電異方性を有する液晶組成物を含んでいる。
【００１５】
図２に示すように、アレイ基板１０１は、表示部１０３においてマトリクス状に配置されたｍ×ｎ個の画素電極１５１、これら画素電極１５１の行方向に沿って形成されたｍ本の走査線Ｙ（Ｙ１〜Ｙｍ）、これら画素電極１５１の列方向に沿って形成されたｎ本の信号線Ｘ（Ｘ１〜Ｘｎ）を有している。
【００１６】
さらに、アレイ基板１０１は、画素電極１５１の行に沿って配置されるｍ本の補助容量線１５４を有している。各補助容量線１５４は対向電極駆動回路等から対向電位ＶＣＯＭとして得られる所定電位に設定され、対応行の画素電極１５１と容量結合してそれぞれ補助容量Ｃｓを構成する。
【００１７】
また、各画素電極１５１に対応して、走査線Ｙ及び信号線Ｘの交差位置近傍にスイッチング素子として配置された薄膜トランジスタ（以下、ＴＦＴ）１２１が備えられている。ＴＦＴ１２１は、対応する走査線Ｙおよび対応する信号線Ｘに接続され、この走査線Ｙからの駆動電圧により導通し、信号線Ｘからの信号電圧を対応する画素電極１５１に印加する。
【００１８】
また、アレイ基板１０１の周辺領域１０４には、走査線Ｙを駆動する走査線駆動回路１１８、信号線Ｘを駆動する信号線駆動回路１１９などが配置されている。
【００１９】
他方、対向基板１０２は、全ての画素電極１５１に対向する対向電極２３を有している。対向電極２３は、ＩＴＯ（Indium Tin Oxide）等の透明導電部材からなり、対向電極駆動回路に接続されている。
【００２０】
以下に、図３を参照して、表示画素ＰＸの構成を説明する。図３に示すように、アレイ基板１０１では、それぞれのＴＦＴ１２１がガラス基板等の光透過性絶縁基板ＧＬ１上に形成され、樹脂層１２３により覆われている。樹脂層１２３上には、各表示画素毎に画素電極１５１が配置されている。画素電極１５１は、樹脂層１２３に設けられたコンタクトホールＣＨによって、ＴＦＴ１２１と接触している。
【００２１】
各画素電極１５１は、互いに隣接した透過表示領域Ａおよび反射表示領域Ｂを規定する透過電極部１５１Ａおよび反射電極部１５１Ｂを有している。すなわち、本実施形態に係る液晶表示装置は、表示部１０３において、各表示画素ＰＸは、互いに隣接する透過表示領域Ａ及び反射表示領域Ｂを有している。透過電極部１５１Ａは、アレイ基板１０１側から入射する光を液晶層１９０へ透過する。反射電極部１５１Ｂは、対向基板１０２側から液晶層１９０に入射する光を反射する。
【００２２】
画素電極１５１は、透過電極部１５１Ａおよび反射電極部１５１Ｂに共通のＩＴＯ等から成る透明電極１５１Ｃを有している。反射電極部１５１Ｂは、さらに透明電極１５１Ｃ上に配置された反射電極１５１Ｒとを有している。反射電極部１５１Ｂにおいて、透明電極１５１Ｃの下地となる樹脂層１２３の表面には起伏が設けられ、この起伏は、少なくとも透過電極部１５１Ａに隣接する位置に設けられ、この起伏に沿って透明電極１５１Ｃの表面にも起伏が形成されている。反射電極１５１Ｒは、例えば、アルミニウム等から成り、透明電極１５１Ｃの起伏に依存して表面に起伏が形成されている。
【００２３】
透明電極１５１Ｃは、反射表示領域Ｂと透過表示領域Ａとの境界に配置された欠落部１５１Ｅを有している。欠落部１５１Ｅは、反射電極部１５１Ｂの起伏に隣接して配置されている。欠落部１５１Ｅは、図４に示すように、走査線Ｙに対して略平行に延び、液晶層１９０に含まれる液晶分子１９０Ａの配向状態を制御する。
【００２４】
すなわち、欠落部１５１Ｅは、反射電極部１５１Ｂの起伏による液晶分子１９０Ａの配向状態への影響を抑制するとともに、透過表示領域Ａにおける液晶分子１９０Ａの配向状態と反射表示領域Ｂにおける液晶分子１９０Ａの配向状態とをそれぞれ規制するように画素電極１５１及び対向電極２３間の駆動電圧に対応して液晶層１９０に生じる電界を傾ける。
【００２５】
反射電極１５１Ｒは、透過電極部１５１Ａと反射電極部１５１Ｂとに接続される配線部として接続部Ｃを有している。接続部Ｃは、欠落部１５１Ｅの一部を横断して配置されている。この接続部Ｃは、透過電極部１５１Ａを構成する光透過性の電極材料および反射電極部１５１Ｂを構成する光反射性の電極材料の少なくとも一方を含むように構成されている。すなわち、接続部Ｃは、反射電極１５１Ｒと同一の材料から成る第１接続部と、透明電極１５１Ｃと同一の材料から成る第２接続部とを有している。
【００２６】
本実施形態では、第１接続部及び第２接続部は、画素電極１５１の端辺に沿うとともに、互いに重なるように配置されている。このように接続部Ｃを配置することで、欠落部１５１Ｅの走査線Ｙに略平行な方向の長さを長くすることができ、反射表示領域Ｂと透過表示領域Ａとの配向状態をより効果的に分断することができる。
【００２７】
また、複数の柱状スペーサＳＳがこれら画素電極１５１相互間において樹脂層１２３上に形成される。画素電極１５１上には、これを覆うように配向膜３０が配置されている。アレイ基板１０１には、液晶層１９０とは反対側となる光透過性絶縁基板ＧＬ１の表面に偏光板ＰＬ１が配置されている。
【００２８】
液晶表示パネル１００がカラー表示タイプの場合には、対向基板１０２上に、着色層としてカラーフィルタＣＦがガラス基板などの光透過性絶縁基板ＧＬ２上に配置される。カラーフィルタＣＦは、複数の画素電極１５１の行および列方向に繰り返し並べられるとともに、各々複数の画素電極１５１の１つに対向する赤色のカラーフィルタ層ＣＦＲ、緑色のカラーフィルタ層ＣＦＧ、青色のカラーフィルタ層ＣＦＢにより構成される。
【００２９】
反射表示領域Ｂにおいて、カラーフィルタＣＦ上には、感光性透明レジスト等による絶縁層２１が配置されている。この絶縁層２１は、透過表示領域Ａにおける液晶層１９０の厚さに対して、反射表示領域Ｂにおける液晶層１９０の厚さを異ならせるために設けられている。透過表示領域Ａと反射表示領域Ｂとにおいて、光が入射してから出射するまでの光路の距離が等しくなるように反射表示領域Ｂにのみ対向基板１０２側に絶縁層２１を設け、反射表示領域Ｂにおける液晶層１９０厚さを透過表示領域Ａの約半分とした。
【００３０】
透過表示領域Ａおよび反射表示領域Ｂにおいて、カラーフィルタＣＦおよび絶縁層２１上には対向電極２３が配置されている。対向電極２３上には、透過表示領域Ａにおいて、画素電極１５１および対向電極２３に印加される駆動電圧により、液晶層１９０に生じる電界を傾けるチルト制御部２２が配置されている。このチルト制御部２２は、図４に示すように信号線Ｘに沿って延びるとともに、透明電極１５１Ｃ及び欠落部１５１Ｅに対向している。すなわち、チルト制御部２２は、液晶分子１９０Ａのチルト方向を互いに異ならせた複数のドメインを透過表示領域Ａに設けるように液晶層１９０を区分する。
【００３１】
対向基板１０２にチルト制御部２２を配置すると、例えば図７に示すように、液晶層１９０に含まれる液晶分子１９０Ａは、チルト制御部２２に側に倒れるように配向する。すなわち、チルト制御部２２の配置位置によって、液晶分子１９０Ａの倒れる方向を制御することが可能となる。
【００３２】
さらに、図４に示すように、対向基板１０２に透明電極１５１Ｃ及び欠落部１５１Ｅに対向するチルト制御部２２を配置することによって、反射表示領域Ｂにおける液晶分子１９０Ａの配向状態による、透過表示領域Ａにおける液晶分子１９０Ａの配向状態への影響をより効果的に抑制することが可能となる。  対向電極２３およびチルト制御部２２上には、これらを覆うように配向膜３０が配置されている。本実施形態では、一対の配向膜３０は、液晶層１９０の液晶組成物に含まれる液晶分子１９０Ａを対向基板１０２に対して略垂直な方向に配向する。対向基板１０２には、偏光板ＰＬ２が液晶層１９０とは反対側となる絶縁基板ＧＬ２の表面に貼り付けられる。
【００３３】
次に本実施形態に係る液晶表示装置の製造方法について説明する。最初に、透明基板上ＧＬ１上に走査線Ｙ及び補助容量線１５４をモリブデンで膜厚約Ｏ．３μｍスパッタリングにより成膜し、フォトリソグラフィにより所定の形状にパターン形成する。その上に、膜厚約０．１５μｍに二酸化珪素あるいは窒化珪素から成るゲート絶縁膜層（図示せず）を形成し、さらにその上にＴＦＴ１２１の半導体層（図示しない）を設ける。
【００３４】
さらに、膜厚約０．３μｍのＡｌから成る信号線ＸとＴＦＴ１２１のソース電極（図示しない）を形成しＴＦＴ１２１を形成する。続いて、感光性レジストをスピンナ一で全面塗布し、ハーフ露光により反射電極部１５１Ｂで所望の起伏が形成されるようにパターン設計されたフォトマスクを用いて露光し、現像することにより絶縁層（図示しない）を形成する。
【００３５】
その後、ＩＴＯを膜厚約０．１μｍスパッタリングしてフォトリソグラフィにより画素電極１５１の透明電極１５１Ｃを形成した。このとき、本実施形態では、図４に示すように反射表示領域Ｂと透過表示領域Ａの境界となる幅約１０μｍ欠落部１５１Ｅを透明電極１５１Ｃに形成した。また、透明電極１５１Ｃの一部を接続部Ｃの第２接続部として残した。本実施形態の場合、接続部Ｃの幅は約５μｍとした。
【００３６】
さらに、透明電極１５１Ｃ上にＡ１薄膜により反射表示領域Ｂの画素電極１５１の反射電極１５１Ｒ、及び接続部Ｃの第１接続部を同時に形成した。このとき、接続部Ｃの第１接続部は第２接続部と同様に幅５μｍとし、第２接続部とともに欠落部１５１Ｅの一部を横断して透過電極部１５１Ａと反射電極部１５１Ｂとに電気的に接続させた。その後、透明樹脂レジストを用いてスペーサＳＳを形成した。
【００３７】
一方で、対向基板１０２上には、赤色の顔料を分散させた感光性レジストを塗布し、フォトリソグラフィにより赤色のカラーフィルタ層ＣＦＲを形成した。同様にして緑色のカラーフィルタ層ＣＦＧ、及び青色のカラーフィルタ層ＣＦＢをそれぞれ形成し、その後感光性透明レジストにより反射表示領域Ｂに膜厚約１.５μｍの絶縁層２１を形成した。
【００３８】
その後、絶縁層２１上に、ＩＴＯを膜厚約０.１μｍでスパッタリングして対向電極２３を形成し、さらに、透過表示領域Ａにおいて、対向電極２３上に感光性レジストを用いて配向制御用のチルト制御部２２を形成した。本実施形態では、チルト制御部２２の幅を約８μとし、信号線Ｘが延びる方向と略平行に延びるとともに表示画素ＰＸを左右に２分割するように配置した。
【００３９】
上記のように形成したアレイ基板１０１と対向基板１０２とに、それぞれ垂直性を示す配向膜３０を約７０ｍｍ厚さで塗布した後、アレイ基板１０１の端面と対向基板１０２の端面とを治具で合わせ、エポキシ系の熱硬化樹脂から成る接着剤を用いて貼合わせた。
【００４０】
続いて、誘電率異方性が負の液晶材料をセルに充填し液晶層１９０を形成し、注入口（図示しない）を紫外線硬化樹脂で封止して液晶表示パネル１００を作製した。
【００４１】
上記の様に形成した液晶表示パネル１００の評価を行ったところ、表示画像のざらつきの無い良好な表示が得られ、且つ、指押し時の表示不良の跡も十分な速度で消滅し、屋内外で優れた視認性と広い視野角特性が得られた。
【００４２】
次に、本発明の比較例に係る液晶表示装置について図面を参照して説明する。比較例に係る液晶表示装置は、画素電極１５１及びＡ１層のパターンが異なる点を除き、実施例１と全く同じ構成である。すなわち、本比較例に係る液晶表示装置の液晶表示パネル１００は、図５に示すように、各表示画素ＰＸが透過表示領域Ａと反射表示領域Ｂとを有している。つまり、各表示画素ＰＸには、対向電極２３に対向する画素電極１５１が配置され、画素電極１５１は、透過表示領域Ａを規定する透過電極部１５１Ａと反射表示領域Ｂを規定する反射電極部１５１Ｂとを有している。
【００４３】
図５に示すように、画素電極１５１は、透過電極部１５１Ａおよび反射電極部１５１Ｂに共通のＩＴＯ等から成る透明電極１５１Ｃを有している。反射電極部１５１Ｂは、さらに透明電極１５１Ｃ上に配置された反射電極１５１Ｒとを有している。反射電極部１５１Ｂにおいて、透明電極１５１Ｃの下地となる樹脂層１２３の表面には起伏が設けられ、この起伏に沿って透明電極１５１Ｃの表面に起伏が形成されている。反射電極１５１Ｒは、例えば、アルミニウム等から成り、透明電極１５１Ｃの起伏に依存して表面に起伏が形成されている。
【００４４】
図６に示すように、本比較例では、前述の実施形態に係る液晶表示装置の場合と異なり、透明電極１５１Ｃは、反射表示領域Ｂと透過表示領域Ａとの境界となる欠落部１５１Ｅを有していない。
【００４５】
図５及び図６に示すように、対向基板１０２には、前述の実施形態の場合と同様のチルト制御部２２が配置されている。
【００４６】
本比較例に係る液晶表示装置は、画素電極１５１の欠落部１５１Ｅ及び接続部Ｃを形成しないこと以外は、前述の実施形態に係る液晶表示装置と同様の製造方法によって形成される。
【００４７】
上記液晶表示パネル１００の表示特性を評価したところ、屋内でわずかに表示画像のざらつきが視認された。また、指押し時の表示不良の跡が３０秒経過後も消滅せず、特に斜め方向からはっきりとムラとして視認された。
【００４８】
すなわち、本実施形態に係る液晶表示装置によれば、反射電極部１５１Ｂの起伏に隣接して配置された欠落部１５１Ｅにより反射表示領域Ｂと透過表示領域Ａとを分断することで、透過表示領域Ａと反射表示領域Ｂとの境界部分の反射電極の起伏による液晶分子１９０Ａの乱れが透過表示領域Ａに及ぶことを回避し、良好な表示を得ることができる。
【００４９】
また、透過電極部１５１Ａと反射電極部１５１Ｂとを接続部Ｃの第１接続部及び第２接続部によって電気的に接続していることによって、第１接続部と第２接続部の一方が欠落した場合であっても、透過電極部１５１Ａと反射電極部１５１Ｂとを電気的に接続することが可能である。例えば、第２接続部が欠落した場合にも、反射電極１５１Ｒと同層の第１接続部によって透過表示領域Ａと反射表示領域Ｂとで画素電極１５１を電気的に導通させることができる。
【００５０】
さらに、反射電極１５１Ｒと接続部Ｃの第１接続部とを同時に形成し、透明電極１５１Ｃと接続部Ｃの第２接続部とを同時に形成することで工程数を増やすことなく歩留まりを向上させることができる。
【００５１】
したがって、本実施形態に係る液晶表示装置によれば、マルチドメイン型ＶＡＮモードを半透過型液晶方式の液晶表示装置に適用した場合に、表示品位を改善するとともに広い視野角と良好な応答速度を有し、さらに、屋内外での視認性に優れた液晶表示素子を安価に提供することができる。
【００５２】
なお、この発明は、上記実施形態そのままに限定されるものではなく、実施段階ではその要旨を逸脱しない範囲で構成要素を変形して具体化できる。
【００５３】
例えば、前述の実施形態に係る液晶表示パネル１００では、透過電極部１５１Ａと反射電極部１５１Ｂとを接続する接続部Ｃの第１接続部及び第２接続部は、画素電極１５１の端辺に沿って配置されていたが、表示画素ＰＸの中央付近に配置されてもよい。その場合にも、前述の実施形態の場合と同様の効果を得ることができる。
【００５４】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５５】
例えば、前述の実施形態に係る液晶表示装置では、透明電極１５１Ｃと反射電極１５１Ｒとが、それぞれ接続部Ｃとなる第２接続部および第１接続部を有していたが、いずれか一方のみで透過電極部１５１Ａと反射電極部１５１Ｂとを接続しても良い。その場合にも、表示品位を改善するとともに広い視野角と良好な応答速度を有する液晶表示パネルを備えた液晶表示装置を提供することができる。
【００５６】
さらには、透過電極部１５１Ａと反射電極部１５１Ｂとが、アレイ基板１０１の他の層に配置された導電層によって電気的に接続されていても良い。その場合には、前述の実施形態の場合の様に接続部を配置することなく、欠落部１５１Ｅが画素電極１５１の走査線Ｙが延びる方向に沿って横切るように配置されるため、透過表示領域Ａにおける液晶分子１９０Ａの配向状態が反射表示領域Ｂにおける液晶分子１９０Ａの配向状態に影響されることを防ぐことができる。
【００５７】
また、前述の実施形態では、対向基板１０２にチルト制御部２２が形成されていたが、チルト制御部２２は形成されない場合であっても、表示品位を改善するとともに広い視野角と良好な応答速度を有する液晶表示パネルを備えた液晶表示装置を提供することができる。
【図面の簡単な説明】
【００５８】
【図１】本発明の一実施形態に係る液晶表示装置の液晶表示パネルの一例を概略的に示す図。
【図２】図１に示す液晶表示パネルの一構成例を説明するための図。
【図３】図１に示す液晶表示パネルを図４に示す線ａ−ａで切断した断面の一例を示す図。
【図４】図１に示す液晶表示パネルの表示画素の構成例を説明するための図。
【図５】本発明の比較例に係る液晶表示装置の液晶表示パネルを図６に示す線ｂ−ｂで切断した断面の一例を示す図。
【図６】図５に示す液晶表示パネルの表示画素の構成例を説明するための図。
【図７】対向基板にチルト制御部を配置した場合の液晶分子の配向状態の一例を説明するための図。
【符号の説明】
【００５９】
１０１…アレイ基板、１０２…対向基板、１９０…液晶層、Ａ…透過表示領域、Ｂ…反射表示領域、１５１Ａ…透過電極部、１５１Ｂ…反射電極部、１５１…画素電極、２３…対向電極、１９０Ａ…液晶分子、１５１Ｅ…欠落部
【図１】
2007256843.tif 000003
【図２】
2007256843.tif 000004
【図３】
2007256843.tif 000005
【図４】
2007256843.tif 000006
【図５】
2007256843.tif 000007
【図６】
2007256843.tif 000008
【図７】
2007256843.tif 000009